(57)【要約】【課題】試料の色に即した正確な試料面温度を知ることができる耐候光試験装置及び方法を提供すること。【解決手段】試料色に対して試料色補正係数データが対応させられている試料色補正係数データテーブルを記憶する記憶手段と、試料色及び放射照度データを入力する入力手段と、選択された試料色を基に前記試料色補正係数データテーブルを検索して対応する試料色補正係数データを抽出する試料色補正係数データ検索手段と、ブラックパネル温度センサーからブラックパネル温度データを受信するブラックパネル温度データ受信手段と、前記ブラックパネル温度データ受信手段により受信されたブラックパネル温度データ、入力された放射照度データ及び前記試料色補正係数データ検索手段により抽出された試料色補正係数データから、試料面温度データを算出する演算手段と、算出された試料面温度データの値を出力する手段とを有する。【選択図】　図１３
2004028878.tif 000002
【特許請求の範囲】
【請求項１】
ブラックパネル温度計を用いる耐候光試験装置であって、試験片の色に対応した、試料片の表面温度を出力又は表示することを特徴とする耐候光試験装置。
【請求項２】
試料色に対して試料色補正係数データが対応させられている試料色補正係数データテーブルを記憶する記憶手段と、
試料色及び放射照度データを入力する入力手段と、
選択された試料色を基に前記試料色補正係数データテーブルを検索して対応する試料色補正係数データを抽出する試料色補正係数データ検索手段と、
ブラックパネル温度センサーからブラックパネル温度データを受信するブラックパネル温度データ受信手段と、
前記ブラックパネル温度データ受信手段により受信されたブラックパネル温度データ、入力された放射照度データ及び前記試料色補正係数データ検索手段により抽出された試料色補正係数データから、試料面温度データを算出する演算手段と、
算出された試料面温度データの値を出力する手段とを有することを特徴とする請求項１記載の耐候光試験装置。
【請求項３】
表示した試料色群の中から１の試料色が選択され、放射照度の値が入力されるステップ１、
試料色補正係数データテーブルに従って、選択された試料色に対応する試料色補正係数データを検出して（ａ、ｂ、ｃ）データとして読み出すステップ２、
入力された放射照度の値を放射照度データＹとして読み出すステップ３、
ブラックパネル温度センサーからブラックパネル温度データを受信し、ブラックパネル温度データＸとするステップ４、
上記（ａ、ｂ、ｃ）データ、ブラックパネル温度データＸ及び放射照度データＹを用いて、ａＸ＋ｂＹ＋ｃの値を算出し、算出された値を試料面温度として、表示するステップ５
の各ステップを有することを特徴とする耐候光試験方法。
【請求項４】
黒色、白色、赤色、空色、黄色の各パネル温度計中、試験する試料片の色に最も近い色の温度計によって、試験温度を管理しながら耐候光試験を行うことを特徴とする耐候光試験方法。
【発明の詳細な説明】
【０００１】
【発明の属する技術分野】
本発明は、試料片に光と熱を与えて耐候光性を調べる耐候光試験装置及び方法に関する。より詳細には、試料の色に即して、より正確な試験結果を得られる耐候光試験装置及び方法に関するものである。
【０００２】
【従来の技術】
従来の耐候光試験装置及び方法においては、ＪＩＳ　Ｂ　７７５４：２０００に示されているように、ブラックパネル温度計及び試験槽内温度計によって試験温度が管理されていた。
【０００３】
なお、キセノンウェザーメーター等では、ブラックパネル温度計とともに、あるいは代用として、ブラックパネル温度センサーを用いる場合が多い。ブラックパネル温度計は、バイメタルで、ブラックパネル温度センサーは白金抵抗体であるという違いがある。また、耐候光試験装置の温度コントロールは、ブラックパネル温度計を目視で観察して得た温度データに基づいて手動で行う場合もあるが、一般には、ブラックパネル温度センサーから電気信号で制御装置に温度データを送信して、かかるデータに基づいて自動で温度コントロールする。
【０００４】
温度の関係では、試験中の試料面温度を知りたいという要望がある。しかも、劣化の主要因としては、光エネルギーのみならず、熱（温度）もあることから、試料表面の温度を測定することは重要である。しかし、各試験片に温度計をつけることは作業性やコスト等の問題から望ましくない。試料面温度は試料面の色に大きく影響されると考えられる。しかし、従来の耐候光試験装置及び方法においては、最も高い温度を示すという理由でブラックパネル温度計やブラックパネル温度センサーで試料面温度を測定していたため、試料片の表面温度を正確に知ることができないという問題点があった。
【０００５】
さらに、異なる色の試料について、試料表面温度を一定にして試験結果を分析できないという問題点があった。
【０００６】
仮に、試料面温度を、試験中にブラックパネル温度センサーの表示温度から作業者が予想しようとしても、試料の色、試験中の放射照度、温度、そして、ランプ使用時間という４要素を考慮しなければならず、事実上、困難であった。
【０００７】
【発明が解決しようとする課題】
本発明は、かかる問題を鑑みてなされたものであり、したがって、本発明の目的は、試料の色に即した正確な試料面温度を知ることができる耐候光試験装置及び方法を提供することにある。本発明者らは、上記の目的を達成するために鋭意研究を重ねた結果、試行錯誤の上、本発明を完成するに至った。
【０００８】
【課題を解決するための手段】
上記目的を達成するために、本発明の耐候光試験装置は、ブラックパネル温度計を用いる耐候光試験装置であって、試験片の色に対応した、試料片の表面温度を出力又は表示するものである。
【０００９】
本発明の耐候光試験装置は、好ましくは、試料色に対して試料色補正係数データが対応させられている試料色補正係数データテーブルを記憶する記憶手段と、試料色及び放射照度データを入力する入力手段と、
選択された試料色を基に前記試料色補正係数データテーブルを検索して対応する試料色補正係数データを抽出する試料色補正係数データ検索手段と、
ブラックパネル温度センサーからブラックパネル温度データを受信するブラックパネル温度データ受信手段と、
前記ブラックパネル温度データ受信手段により受信されたブラックパネル温度データ、入力された放射照度データ及び前記試料色補正係数データ検索手段により抽出された試料色補正係数データから、試料面温度データを算出する演算手段と、
算出された試料面温度データの値を出力する手段とを有する。
【００１０】
本発明の耐候光試験方法は、表示した試料色群の中から１の試料色が選択され、放射照度の値が入力されるステップ１、
試料色補正係数データテーブルに従って、選択された試料色に対応する試料色補正係数データを検出して（ａ、ｂ、ｃ）データとして読み出すステップ２、
入力された放射照度の値を放射照度データＹとして読み出すステップ３、
ブラックパネル温度センサーからブラックパネル温度データを受信し、ブラックパネル温度データＸとするステップ４、
上記（ａ、ｂ、ｃ）データ、ブラックパネル温度データＸ及び放射照度データＹを用いて、ａＸ＋ｂＹ＋ｃの値を算出し、算出された値を試料面温度として、表示するステップ５
の各ステップを有することを特徴とするものである。
【００１１】
また、本発明の耐候光試験方法は、黒色、白色、赤色、空色、黄色の各パネル温度計中、試験する試料片の色に最も近い色の温度計によって、試験温度を管理しながら耐候光試験を行うことを特徴とするものである。
【００１２】
【発明の実施の形態】
本発明者らは、フェードメーターで、放射照度一定にして、ブラックパネル温度計の表示温度と白色、赤色、空色、黄色の各カラーパネル温度計の表示温度との相関性について調べた。図１は、フェードメーターにおけるブラックパネル温度計の表示温度に対するカラーパネル温度計の表示温度との特性図である。図１においては、「ＢＰＴ」とは、ブラックパネル温度計を表し、「白色」は、カラーパネル温度計のうち、白色パネル温度計を表す。その他、「赤色」等についても同様である。図１に示した通り、ブラックパネル温度計の表示温度とカラーパネル温度計の表示温度とは、一致せず、しかし、両者の間に直線関係が成り立つことがわかった。かかる結果は、白色、赤色、空色、黄色の試料を試験した際の試料面温度は、ブラックパネル温度計の表示温度とは異なり、従来の耐候光試験装置及び方法では、試料面温度を一義的に知ることができないことを示す。
【００１３】
次に、本発明者らは、水槽中にブラックパネル温度計と白色、赤色、空色、黄色の各カラーパネル温度計を沈めて、水槽温度に対し、それぞれどのような温度を表示するか実験した。図２は、水槽温度に対するブラックパネル温度計及び白色、赤色、空色、黄色の各カラーパネル温度計の表示温度との特性図である。図２から、ブラックパネル温度計の表示温度と白色、赤色、空色、黄色の各カラーパネル温度計の表示温度とは、ほぼ一致することが分かる。したがって、図１に示した結果と合わせると、ブラックパネル温度計の表示温度と白色、赤色、空色、黄色の各カラーパネル温度計の表示温度との違いは、輻射熱によるものと考察される。
【００１４】
かかる結果を受け、本発明者らは、更に、キセノンウェザーメーターで、放射照度の違いにより、ブラックパネル温度計の表示温度と白色パネル温度計の表示温度が異なるかを調べた。キセノンウェザーメーターでは、放射照度を６０Ｗ／ｍ２、あるいは１８０Ｗ／ｍ２にして試験することが多い。図３は、放射照度１８０Ｗ／ｍ２のキセノンウェザーメーターにおける、経過時間に対するブラックパネル温度計の表示温度と白色パネル温度計の表示温度の関係を示す図である。図４は、放射照度６０Ｗ／ｍ２のキセノンウェザーメーターにおける、経過時間に対するブラックパネル温度計の表示温度と白色パネル温度計の表示温度の関係を示す図である。両図とも、「ＢＰＴ」がブラックパネル温度計の表示温度、「ＷＰＴ」が白色パネル温度計の表示温度を表す。両図から、放射照度が高いほど、ブラックパネル温度計の表示温度と白色パネル温度計の表示温度の差は大きいことが分かる。また、槽内温度は、ブラックパネル温度計の表示温度が一定のとき、放射照度が高いほど、低くなる。したがって、白色、赤色、空色、黄色の試料を試験した際の試料面温度とブラックパネル温度計の表示温度とは、放射照度の違いにより差があることが予測される。
【００１５】
以上の知見を基に、本発明者らは、１８０Ｗ／ｍ２、１２０Ｗ／ｍ２、６０Ｗ／ｍ２の放射照度のキセノンウェザーメーターで、それぞれ、ブラックパネル温度センサー及び黒色、白色、赤色、空色、黄色の各カラーパネル温度計の表示温度の関係を調べた。図中で「黒色」は、ブラックパネル温度計を表す。
【００１６】
以下においては、ブラックパネル温度センサーにより自動で温度コントロールするタイプで発明の説明を行うが、ブラックパネル温度計を用いて手動で温度コントロールするタイプにも用いることができる。
【００１７】
図５は、放射照度６０Ｗ／ｍ２のキセノンウェザーメーターにおけるブラックパネル温度センサーの表示温度に対する各カラーパネル温度計の表示温度を示す図である。図６は、放射照度１２０Ｗ／ｍ２のキセノンウェザーメーターにおけるブラックパネル温度センサーの表示温度に対する各カラーパネル温度計の表示温度を示す図である。図７は、放射照度１８０Ｗ／ｍ２のキセノンウェザーメーターにおけるブラックパネル温度センサーの表示温度に対する各カラーパネル温度計の表示温度を示す図である。
【００１８】
これらの結果を踏まえ、本発明者らは、１８０Ｗ／ｍ２、１２０Ｗ／ｍ２、６０Ｗ／ｍ２の放射照度のキセノンウェザーメーターにおける、ブラックパネル温度センサー及び黒色、白色、赤色、空色、黄色の各カラーパネル温度計の表示温度の関係式を実験結果に基づいて求めた。数１は、放射照度１８０Ｗ／ｍ２におけるブラックパネル温度センサーと黒色温度計の表示温度の関係式を、数２は、放射照度１８０Ｗ／ｍ２におけるブラックパネル温度センサーと白色パネル温度計の表示温度の関係式を、数３は、放射照度１８０Ｗ／ｍ２におけるブラックパネル温度センサーと赤色パネル温度計の表示温度の関係式を、数４は、放射照度１８０Ｗ／ｍ２におけるブラックパネル温度センサーと空色パネル温度計の表示温度の関係式を、数５は、放射照度１８０Ｗ／ｍ２におけるブラックパネル温度センサーと黄色パネル温度計の表示温度の関係式をそれぞれ表す。各数式とも、Ｘがブラックパネル温度センサー表示温度を示し、ＺＹ＝１８０が放射照度１８０Ｗ／ｍ２における各カラーパネル温度計の表示温度を表す。
【００１９】
【数１】
2004028878.tif 000003
【００２０】
【数２】
2004028878.tif 000004
【００２１】
【数３】
2004028878.tif 000005
【００２２】
【数４】
2004028878.tif 000006
【００２３】
【数５】
2004028878.tif 000007
【００２４】
同様にして、６０Ｗ／ｍ２、１２０Ｗ／ｍ２についても関係式を導く。これらの関係式を基に、各放射照度における、ブラックパネル温度センサー表示温度に対するカラーパネル表示温度が算出できる。算出された各値から、ブラックパネル温度センサー表示温度が一定の場合の放射電力に対する各カラーパネルの表示温度の関係式が導ける。
【００２５】
図８は、キセノンウェザーメーターにおける、ブラックパネル温度センサー表示温度が８３℃の場合の、放射照度に対する各カラーパネル温度計の表示温度を示す図である。各プロットは、図５、図６及び図７から算出した値である。図５、図６、図７及び図８で得られる、各プロットの一次近似曲線は何れも直線性が極めて高く、大半がＲ２＝０．９９９以上であった。したがって、各色において、ブラックパネル温度センサー表示温度をＸ軸、放射照度をＹ軸、各カラーパネル温度計の表示温度をＺ軸とした３次元空間に、それぞれ、Ｚ＝ａＸ＋ｂＹ＋ｃの一般式で表すことができる１平面で近似できる。
【００２６】
数６は、ブラックパネル温度センサーの表示温度及び放射照度に対する黒色温度計の表示温度Ｚの関係式を示す。数７は、ブラックパネル温度センサーの表示温度及び放射照度に対する白色温度計の表示温度Ｙの関係式を示す。数８は、ブラックパネル温度センサーの表示温度及び放射照度に対する赤色温度計の表示温度Ｙの関係式を示す。数９は、ブラックパネル温度センサーの表示温度及び放射照度に対する空色温度計の表示温度Ｙの関係式を示す。数１０は、ブラックパネル温度センサーの表示温度及び放射照度に対する黄色温度計の表示温度Ｙの関係式を示す。ここで、Ｘはブラックパネル温度センサーの表示温度、Ｙは放射照度を表す。
【００２７】
【数６】
2004028878.tif 000008
【００２８】
【数７】
2004028878.tif 000009
【００２９】
【数８】
2004028878.tif 000010
【００３０】
【数９】
2004028878.tif 000011
【００３１】
【数１０】
2004028878.tif 000012
【００３２】
なお、ランプ使用時間によっても、ランプの劣化により、赤外領域の光が相対的に増加するので、ランプ使用時間による補正も考慮すべきと考えられる。図９は、使用時間１００時間のキセノンウェザーメーターにおける、放射照度に対するブラックパネル温度センサー及び各カラーパネル温度計の表示温度を示す図である。図１０は、使用時間２１３６時間のキセノンウェザーメーターにおける、放射照度に対するブラックパネル温度センサー及び各カラーパネル温度計の表示温度を示す図である。
【００３３】
図１１は、１８０Ｗ／ｍ２のキセノンウェザーメーターにおける、ランプ使用時間に対するブラックパネル温度センサー及び各カラーパネル温度計の表示温度を示す図である。図１１から分かるとおり、ランプ使用時間による温度の違いは、色や放射照度による違いに比べて極めて小さく、ランプ使用時間による補正の必要性は比較的小さいと考えられるので、本発明においては、かかる補正をしていない。しかし、必要に応じて使用時間による補正をすることは可能である。
【００３４】
本発明者らは、上記結果から得られた知見を基に、試料面温度を、試料の色、試験中の放射照度、温度、そして、ランプ使用時間という４要素を考慮し、なかでも、影響の大きい試料の色、試験中の放射照度、温度について補正し、ブラックパネル温度センサーの表示温度から試料面温度を算出することができることを見出した。
【００３５】
上記実験結果から得られたＺ＝ａＸ＋ｂＹ＋ｃの一般式は、キセノンウェザーメーター以外の耐候光試験装置においても成立すると考えられる。
【００３６】
本発明者らは、かかる関係式及び色毎の補正値データを組み込んだプログラムを埋め込み、試料片の色を入力することにより、放射照度に応じてブラックパネル温度センサーの表示温度から、試料面温度を表示又は出力する耐候光試験装置及び方法を開発した。
【００３７】
なお、かかるプログラムを有しない装置でも、比較的簡易に、しかし、従来方法よりは正確に試料面温度を知りたい場合がある。そこで、本発明者らは、ブラックパネル温度計の代わりに、試料片の色に近い色のカラーパネル温度計を選択することにより、より正確な試験結果が得られる耐候光試験方法を発明した。
【００３８】
下記に示した実施例は、キセノンウェザーメーターにおける実施例であるが、下記に示すデータテーブルを適宜書き換えることにより、他の耐候光試験装置にも共通に利用できる。
【００３９】
【実施例】
以下、本発明の実施例について、図面を参照して詳細に説明する。
【００４０】
図１２は、本発明の耐候光試験装置の実施例１の概念図である。本発明の実施例１は、ＣＰＵ（中央処理装置）、記憶手段、ブラックパネル温度センサーからの電気信号受信及びタッチパネル等の入力手段、ディスプレイ等の出力手段から構成されるコンピュータを用いて試験中でも試料面温度を表示又は出力できる機能を有する耐候光試験装置を実現している。
【００４１】
コンピュータの記憶手段には、試料色名、該試料色毎の試料面温度計算式の３つの係数（ａ、ｂ、ｃ）のデータを記憶させておく。この記憶手段としては、ＲＡＭやＲＯＭ等の半導体記憶手段の他、磁気ディスク、ＣＤ−ＲＯＭ等の記憶媒体を用いてもよい。
【００４２】
図１３は、本発明の耐候光試験装置の実施例１の構成図である。表示装置（１）とタッチパネル等の入力手段（２）がバス線（９）に接続されている。ＣＰＵ（３）は、プログラムを実行して表示すべきデータの指示、選択された試料色から試料色補正係数データの検索を行う。ＲＡＭ（４）は、表示用のデータを一旦格納するものである。ＣＰＵ（３）からの指示に従って、表示用のデータは、表示装置（１）に表示される。本発明の装置内のメモリには大きく分けて３つのファイルが格納される。
【００４３】
入力手段（２）としては、タッチパネル等とブラックパネル温度データを送信するブラックパネル温度センサーがある。タッチパネル等では、複数表示されている試料色（本発明の耐候光試験装置の実施例１においては、赤色、白色、空色、黄色、黒色）から１を選び、放射照度の数値をインプットする構成となっている。放射照度の数値のインプットにはテンキー等を利用しても良い。ブラックパネル温度センサーからは、定期的にブラックパネル温度データを受信する。
【００４４】
第１のファイル（５）内には、試料面温度プログラム（６）が記憶されている。第２のファイル（７）内には、選択された試料色と対応する試料面温度計算式の３つの係数（ａ、ｂ、ｃ）のデータ、すなわち試料色補正係数｛（ａ、ｂ、ｃ）｝データとを関連づけて記憶した試料色補正係数データテーブルが記憶されている。更に、第３のファイル（８）内には、試料面表示温度データを算出するための計算式が記憶されている。第２のファイル（７）は変更可能にしてある。上記計算式において、受信したブラックパネル温度センサーのブラックパネル温度データをＸ、入力された放射照度データをＹに代入し、読み出された試料色補正係数｛（ａ、ｂ、ｃ）｝データをそれぞれ、ａ、ｂ、ｃに代入してａＸ＋ｂＹ＋ｃの値を算出するしくみとなっている。
【００４５】
例えば、白色を選択した場合、ａ１Ｘ＋ｂ１Ｙ＋ｃ１の値を計算する。
【００４６】
図１４は、本発明の耐候光試験装置の実施例１の表示画面例である。表示画面内には、選択した試料色、入力した放射照度、ブラックパネル温度センサーから受信したブラックパネル温度とともに、試料色補正係数データテーブルを検索して読み出した試料色補正係数データ、入力された放射照度データ及びブラックパネル温度データから算出された試料面温度が表示されている。各データは表示するほか、プリンター等によって印刷したり、制御装置に送信する等の出力も可能である。
【００４７】
図１５は、本発明の耐候光試験装置の実施例１の処理フロー図である。
【００４８】
ステップ１（Ｓ１）として、耐候光試験を開始するとともに測定をスタートする。試料面温度プログラムに従って、表示された試料色群の中から１の試料色が選択され、放射照度の値が入力される。
【００４９】
次に、ステップ２（Ｓ２）として、試料色補正係数データテーブルに従って、選択された試料色に対応する試料色補正係数データを検出して（ａ、ｂ、ｃ）データとして読み出す。
【００５０】
また、ステップ３（Ｓ３）として、入力された放射照度の値を放射照度データＹとして読み出す。
【００５１】
また、ステップ４（Ｓ４）として、ブラックパネル温度センサーからブラックパネル温度データを受信し、ブラックパネル温度データＸとする。
【００５２】
そして、ステップ５（Ｓ５）として、上記（ａ、ｂ、ｃ）データ、ブラックパネル温度データＸ及び放射照度データＹを用いて、ａＸ＋ｂＹ＋ｃの値を算出し、算出された値を試料面温度として、表示装置（１）の画面に図１４のように表示する。
【００５３】
ステップ６（Ｓ６）として、作業者が試料色又は放射照度を変更したかを調べ、変更していればステップ２（Ｓ２）に戻り、変更されていなければステップ７（Ｓ７）に進む。
【００５４】
ステップ７（Ｓ７）として、一定時間内にブラックパネル温度センサーからさらなる温度データを受信しているかを調べ、受信していなければ終了し、受信していればステップ５（Ｓ５）に戻る。
【００５５】
上記した第２のファイル（７）には、本発明の耐候光試験装置の実施例１においては、ａ１として０．９５６の数値が記憶されている。同様に、ａ２は、０．９５９２、ａ３は、０．９５０７、ａ４は、１．２７５８、ａ５は、０．９７７３、ｂ１は、−０．１４６８、ｂ２は、−０．０４６４、ｂ３は、−０．０４９４、ｂ４は、−０．１４８６、ｂ５は、０．００６９、ｃ１は、１．９２２、ｃ２は、−０．０５８６、ｃ３は、−０．６２２１、ｃ４は、−１５．５８０４、ｃ５は、１．４７７１が記憶されている。
【００５６】
具体的には、白色を選択し、ブラックパネル温度センサーから受信される温度データが「６３」℃で、入力した放射照度が「６０」Ｗ／ｍ２であるとき、試料面温度として、０．９５６×６３−０．１４６８×６０＋１．９２２を計算することにより得られた「５３．３」という値が試料面温度として表示される。一方、白色温度計で、放射照度が６０Ｗ／ｍ２でブラックパネル温度センサーが６３．２℃を表示していたときの実測値は５３．３℃であった。したがって、従来のブラックパネル温度センサーの表示温度を試料面温度とする装置に比べ、本発明によれば、極めて正確に試料面温度を知ることができるといえる。
【００５７】
上記した第２のファイル（７）は適宜変更可能である。したがって、耐候光試験装置の種類によって適当なデータテーブルに書き換えて利用できるため、汎用性が高い。
【００５８】
また、例えば、色として緑色を多く使用する場合においては、予め、緑色に関するデータを追加することができる。
【００５９】
したがって、本発明によれば、試料の色に合わせて、簡便に、そして、より正確に試料面温度を知ることができる。さらに、汎用性が高い。
【００６０】
本発明の耐候光試験方法の実施例１は、例えば、本発明の耐候光試験装置の実施例１を用いて行う。具体的手順としては、図１５に示したとおりである。
【００６１】
表示した試料色群の中から１の試料色が選択され、放射照度の値が入力されるステップ１の後、試料色補正係数データテーブルに従って、選択された試料色に対応する試料色補正係数データを検出して（ａ、ｂ、ｃ）データとして読み出すステップ２、続いて、入力された放射照度の値を放射照度データＹとして読み出すステップ３、ブラックパネル温度センサーからブラックパネル温度データを受信し、ブラックパネル温度データＸとするステップ４、上記（ａ、ｂ、ｃ）データ、ブラックパネル温度データＸ及び放射照度データＹを用いて、ａＸ＋ｂＹ＋ｃの値を算出し、算出された値を試料面温度として、表示するステップ５の順で行われる。
【００６２】
ところで、図１〜図１１に示したように、発明者らの実験によって、ブラックパネル温度センサーの温度データや、ブラックパネル温度計の表示温度は、必ずしも試料片の表面温度を表すわけではないことが分かる。したがって、試験結果のより詳細な分析のためには、試料表面温度データを必要とする。
【００６３】
本発明の耐候光試験方法の実施例２においては、黒色、白色、赤色、空色、黄色の各パネル温度計中、試験する試料片の色に最も近い色の温度計によって、試験温度を管理しながら耐候光試験を行う。
【００６４】
本発明の耐候光試験方法の実施例２による試験結果は、図５〜図７に示す。
【００６５】
本発明の耐候光試験方法の実施例２で用いたカラーパネル温度計のＸＹＺ値は表１に示したとおりである。なお、本発明の耐候光試験装置の実施例１及び本発明の耐候光試験方法の実施例１の各色の係数を算出するのにも表１に示したカラーパネルを用いた。
【００６６】
【表１】
2004028878.tif 000013
【００６７】
本発明によれば、より正確に試料面温度を知ることができる。また、試料面温度を一定にして、異なる色の試験結果を検討する事が可能となる。
【００６８】
【発明の効果】
本発明の耐候光試験装置及び方法は、上述したとおりであるので、試料の色に即した正確な試料面温度を知ることができる。
【図面の簡単な説明】
【図１】フェードメーターにおけるブラックパネル温度計の表示温度に対するカラーパネル温度計の表示温度との特性図である。
【図２】水槽温度に対するブラックパネル温度計及び白色、赤色、空色、黄色の各カラーパネル温度計の表示温度との特性図である。
【図３】放射照度１８０Ｗ／ｍ２のキセノンウェザーメーターにおける、経過時間に対するブラックパネル温度計の表示温度と白色パネル温度計の表示温度の関係を示す図である。
【図４】放射照度６０Ｗ／ｍ２のキセノンウェザーメーターにおける、経過時間に対するブラックパネル温度計の表示温度と白色パネル温度計の表示温度の関係を示す図である。
【図５】放射照度６０Ｗ／ｍ２のキセノンウェザーメーターにおけるブラックパネル温度センサーの表示温度に対する各カラーパネル温度計の表示温度を示す図である。
【図６】放射照度１２０Ｗ／ｍ２のキセノンウェザーメーターにおけるブラックパネル温度センサーの表示温度に対する各カラーパネル温度計の表示温度を示す図である。
【図７】放射照度１８０Ｗ／ｍ２のキセノンウェザーメーターにおけるブラックパネル温度センサーの表示温度に対する各カラーパネル温度計の表示温度を示す図である。
【図８】キセノンウェザーメーターにおける、ブラックパネル温度センサー表示温度が８３℃の場合の、放射照度に対する各カラーパネル温度計の表示温度を示す図である。
【図９】使用時間１００時間のキセノンウェザーメーターにおける、放射照度に対するブラックパネル温度センサー及び各カラーパネル温度計の表示温度を示す図である。
【図１０】使用時間２１３６時間のキセノンウェザーメーターにおける、放射照度に対するブラックパネル温度センサー及び各カラーパネル温度計の表示温度を示す図である。
【図１１】１８０Ｗ／ｍ２のキセノンウェザーメーターにおける、ランプ使用時間に対するブラックパネル温度センサー及び各カラーパネル温度計の表示温度を示す図である。
【図１２】本発明の耐候光試験装置の実施例１の概念図である。
【図１３】本発明の耐候光試験装置の実施例１の構成図である。
【図１４】本発明の耐候光試験装置の実施例１の表示画面例である。
【図１５】本発明の耐候光試験装置の実施例１の処理フロー図である。
【符号の説明】
１　表示装置
２　入力手段
３　ＣＰＵ
４　ＲＡＭ
５　第１のファイル
６　試料面温度プログラム
７　第２のファイル
８　第３のファイル
９　バス線
【図１】
2004028878.tif 000014
【図２】
2004028878.tif 000015
【図３】
2004028878.tif 000016
【図４】
2004028878.tif 000017
【図５】
2004028878.tif 000018
【図６】
2004028878.tif 000019
【図７】
2004028878.tif 000020
【図８】
2004028878.tif 000021
【図９】
2004028878.tif 000022
【図１０】
2004028878.tif 000023
【図１１】
2004028878.tif 000024
【図１２】
2004028878.tif 000025
【図１３】
2004028878.tif 000026
【図１４】
2004028878.tif 000027
【図１５】
2004028878.tif 000028
【手続補正書】
【提出日】平成14年12月4日(2002.12.4)
【手続補正１】
【補正対象書類名】明細書
【補正対象項目名】特許請求の範囲
【補正方法】変更
【補正の内容】
【特許請求の範囲】
【請求項１】
ブラックパネル温度センサーを用いる耐候光試験装置であって、
試料色に対して試料色補正係数データが対応させられている試料色補正係数データテーブルを記憶する記憶手段と、
試料色及び放射照度データを入力する入力手段と、
選択された試料色を基に前記試料色補正係数データテーブルを検索して対応する試料色補正係数データを抽出する試料色補正係数データ検索手段と、
ブラックパネル温度センサーからブラックパネル温度データを受信するブラックパネル温度データ受信手段と、
前記ブラックパネル温度データ受信手段により受信されたブラックパネル温度データ、入力された放射照度データ及び前記試料色補正係数データ検索手段により抽出された試料色補正係数データから、試料面温度データを算出する演算手段と、
算出された試料面温度データの値を出力する手段とを
有することにより、試験片の色に対応した、試料片の表面温度を出力又は表示することを特徴とする耐候光試験装置。
【請求項２】
ブラックパネル温度計を用いる耐候光試験装置であって、
試料色に対して試料色補正係数データが対応させられている試料色補正係数データテーブルを記憶する記憶手段と、
試料色及び放射照度データを入力する入力手段と、
選択された試料色を基に前記試料色補正係数データテーブルを検索して対応する試料色補正係数データを抽出する試料色補正係数データ検索手段と、
ブラックパネル温度計で表示されたブラックパネル温度データを入力する入力手段と、
入力されたブラックパネル温度データ、入力された放射照度データ及び前記試料色補正係数データ検索手段により抽出された試料色補正係数データから、試料面温度データを算出する演算手段と、
算出された試料面温度データの値を出力する手段とを
有することにより、試験片の色に対応した、試料片の表面温度を出力又は表示することを特徴とする耐候光試験装置。
【請求項３】
ブラックパネル温度センサーを用いる耐候光試験方法であって、表示した試料色群の中から１の試料色が選択され、放射照度の値が入力されるステップ１、
試料色補正係数データテーブルに従って、選択された試料色に対応する試料色補正係数データを検出して（ａ、ｂ、ｃ）データとして読み出すステップ２、
入力された放射照度の値を放射照度データＹとして読み出すステップ３、
ブラックパネル温度センサーからブラックパネル温度データを受信し、ブラックパネル温度データＸとするステップ４、
上記（ａ、ｂ、ｃ）データ、ブラックパネル温度データＸ及び放射照度データＹを用いて、ａＸ＋ｂＹ＋ｃの値を算出し、算出された値を試料面温度として、表示するステップ５
の各ステップを有することを特徴とする耐候光試験方法。
【請求項４】
ブラックパネル温度計を用いる耐候光試験方法であって、表示した試料色群の中から１の試料色が選択され、放射照度の値が入力されるステップ１、
試料色補正係数データテーブルに従って、選択された試料色に対応する試料色補正係数データを検出して（ａ、ｂ、ｃ）データとして読み出すステップ２、
入力された放射照度の値を放射照度データＹとして読み出すステップ３、
ブラックパネル温度計で表示されたブラックパネル温度データを入力し、ブラックパネル温度データＸとするステップ４、
上記（ａ、ｂ、ｃ）データ、ブラックパネル温度データＸ及び放射照度データＹを用いて、ａＸ＋ｂＹ＋ｃの値を算出し、算出された値を試料面温度として、表示するステップ５
の各ステップを有することを特徴とする耐候光試験方法。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
【課題を解決するための手段】
本発明の耐候光試験装置は、ブラックパネル温度センサーを用いる耐候光試験装置であって、
試料色に対して試料色補正係数データが対応させられている試料色補正係数データテーブルを記憶する記憶手段と、
試料色及び放射照度データを入力する入力手段と、
選択された試料色を基に前記試料色補正係数データテーブルを検索して対応する試料色補正係数データを抽出する試料色補正係数データ検索手段と、
ブラックパネル温度センサーからブラックパネル温度データを受信するブラックパネル温度データ受信手段と、
前記ブラックパネル温度データ受信手段により受信されたブラックパネル温度データ、入力された放射照度データ及び前記試料色補正係数データ検索手段により抽出された試料色補正係数データから、試料面温度データを算出する演算手段と、
算出された試料面温度データの値を出力する手段とを
有することにより、試験片の色に対応した、試料片の表面温度を出力又は表示するものである。また、請求項２記載の本発明の耐候光試験装置は、ブラックパネル温度計を用いる耐候光試験装置であって、試料色に対して試料色補正係数データが対応させられている試料色補正係数データテーブルを記憶する記憶手段と、試料色及び放射照度データを入力する入力手段と、選択された試料色を基に前記試料色補正係数データテーブルを検索して対応する試料色補正係数データを抽出する試料色補正係数データ検索手段と、ブラックパネル温度計で表示されたブラックパネル温度データを入力する入力手段と、入力されたブラックパネル温度データ、入力された放射照度データ及び前記試料色補正係数データ検索手段により抽出された試料色補正係数データから、試料面温度データを算出する演算手段と、算出された試料面温度データの値を出力する手段とを有することにより、試験片の色に対応した、試料片の表面温度を出力又は表示するものである。
【手続補正４】
【補正対象書類名】明細書
【補正対象項目名】００１０
【補正方法】変更
【補正の内容】
【００１０】
本発明の耐候光試験方法は、ブラックパネル温度センサーを用いる耐候光試験方法であって、表示した試料色群の中から１の試料色が選択され、放射照度の値が入力されるステップ１、
試料色補正係数データテーブルに従って、選択された試料色に対応する試料色補正係数データを検出して（ａ、ｂ、ｃ）データとして読み出すステップ２、
入力された放射照度の値を放射照度データＹとして読み出すステップ３、
ブラックパネル温度センサーからブラックパネル温度データを受信し、ブラックパネル温度データＸとするステップ４、
上記（ａ、ｂ、ｃ）データ、ブラックパネル温度データＸ及び放射照度データＹを用いて、ａＸ＋ｂＹ＋ｃの値を算出し、算出された値を試料面温度として、表示するステップ５
の各ステップを有することを特徴とするものである。また、請求項４記載の本発明の耐候光試験方法は、ブラックパネル温度計を用いる耐候光試験方法であって、表示した試料色群の中から１の試料色が選択され、放射照度の値が入力されるステップ１、試料色補正係数データテーブルに従って、選択された試料色に対応する試料色補正係数データを検出して（ａ、ｂ、ｃ）データとして読み出すステップ２、入力された放射照度の値を放射照度データＹとして読み出すステップ３、ブラックパネル温度計で表示されたブラックパネル温度データを入力し、ブラックパネル温度データＸとするステップ４、上記（ａ、ｂ、ｃ）データ、ブラックパネル温度データＸ及び放射照度データＹを用いて、ａＸ＋ｂＹ＋ｃの値を算出し、算出された値を試料面温度として、表示するステップ５の各ステップを有することを特徴とするものである。
【手続補正５】
【補正対象書類名】明細書
【補正対象項目名】００１１
【補正方法】削除
【補正の内容】
【手続補正６】
【補正対象書類名】明細書
【補正対象項目名】００３７
【補正方法】削除
【補正の内容】
【手続補正７】
【補正対象書類名】明細書
【補正対象項目名】００６３
【補正方法】削除
【補正の内容】
【手続補正８】
【補正対象書類名】明細書
【補正対象項目名】００６４
【補正方法】削除
【補正の内容】